(57)【要約】【目的】  アトピー性皮膚炎患者がその症状の軽減または予防のために日常生活において簡便かつ安全に使用することのできる物品を提供する。【構成】  アトピー性皮膚炎を軽減または予防する物品であって、カチオン基を含有することを特徴とする衣服、衛生用品、医療材料、外用剤、医薬部外品または化粧品。【選択図】  なし【特許請求の範囲】
【請求項１】
カチオン基を含有することを特徴とする、アトピー性皮膚炎を軽減または予防する物品。
【請求項２】
天然繊維または再生繊維である請求項１の物品。
【請求項３】
多糖類、その加水分解物またはオリゴ糖である請求項１の物品。
【請求項４】
化成品である請求項１の物品。
【請求項５】
吸水性ポリマーである請求項１の物品。
【請求項６】
衣服、衛生用品、医療材料、外用剤、医薬部外品または化粧品である請求項１から５のいずれかの物品。
【発明の詳細な説明】
【技術分野】
【０００１】
本発明は、アトピー性皮膚炎における炎症および痒み（以下、症状という）を軽減または予防する外皮適用物品に関するものである。
【背景技術】
【０００２】
近年、アトピー性皮膚炎患者は急増しており、皮膚科にかかる患者中のアトピー性皮膚炎患者比率は30%を越える情況で、主たる皮膚病の一つになっている。アトピー性皮膚炎は、通常の抗原に対しIgE抗体を産生しやすい遺伝的要因に種々の環境因子が加わることにより引き起こされるアトピー性疾患の一つであり、乳児期から発症し、加齢と共に慢性的に経過し、多くは思春期前に軽快するが、一部の症例は思春期以降も継続し、また思春期以降発症する例もある。成人症例のほとんどは特に難治であり、それ以降の加齢による寛解は期待しがたい。完成した病巣は苔癬化し、掻痒は著しく、しばしば発作的であり、他のアトピー性疾患と一定の関連をもって増悪、軽快を繰り返すというものである。
【０００３】
このようなアトピー性皮膚炎の発症機序には明らかにされていない部分が多く、他の皮膚疾患との識別にも問題が残っており、治療方法はいまだ確立されていないが、従来より、副腎皮質ホルモン剤の外用、抗ヒスタミン剤、化学伝達物質遊離抑制剤の投薬療法、あるいは食材から卵、牛乳、大豆等を除く食事療法、生活環境からのダニ、真菌(カビ)などの抗原物質の除去などが試みられてきた。しかしながら薬物療法の場合は、薬剤を成長期の子供に、しかも長期にわたって使用することになるため、副作用の点で問題が残る。また食事療法や環境抗原除去対策では、完全に抗原を除くことは困難であり、精神的負担も大きいという問題点があった。
【０００４】
上述のごとく、アトピー性皮膚炎における掻痒は著しく、掻けば病巣は悪化し、さらに掻痒は増大する、といった悪循環を招きやすい。従って、治療戦略の観点からは痒みを早急に鎮静させ、炎症を抑えることが重要である。従来、この目的のためにステロイド剤や抗ヒスタミン剤を投与するとともに、皮膚あるいは衣服を常に清潔に保つことが勧められてきたが、満足できる効果が得られていないのが現状である（非特許文献１、２参照）。
【０００５】
一方、カチオン基には抗菌・抗カビ活性、防臭効果のあることから医療、衛生領域で多くの製品が開発されているのみならず（例えば、特許文献１−５）、繊維、染色、印刷、製紙産業等の領域でも汎用されている物質であるが（例えば特許文献６−８）、カチオン基とアトピー性皮膚炎症状との関係については全く知られていない。
【特許文献１】特開2003-160414号公報（抗菌剤）
【特許文献２】特開2003-105674号公報（抗菌性繊維製品の製造方法及び繊維用抗菌剤組成物）
【特許文献３】2001-303372号公報（抗菌性、抗ウイルス性アクリロニトリル系繊維およびその製造法）
【特許文献４】特開2001-278716号公報（繊維用抗菌剤及び抗菌性繊維製品）
【特許文献５】特開平9-228243号公報（抗菌性繊維材料）
【特許文献６】特開2003-64101号公報（カチオン化澱粉の製造方法）
【特許文献７】特開2001-64883号公報（顔料を絹繊維に展着する方法）
【特許文献８】特開平7-316988号公報（セルロース系繊維生地の染色方法および該方法で染色されたセルロース系繊維生地）
【非特許文献１】上原正巳、古江増隆、宮地良樹．アトピー性皮膚炎．最新皮膚科学大系3，湿疹・痒疹・そう痒症・紅皮症・蕁麻疹，中山書店，2002, pp37-57
【非特許文献２】古江増隆、古川福実、秀  道広、竹原和彦：全文訂正版：日本皮膚科学会アトピー性皮膚炎治療ガイドライン2003改訂版、日本皮膚科学会雑誌  113:451-457, 2003
【発明の開示】
【発明が解決しようとする課題】
【０００６】
前記のとおり、アトピー性皮膚炎の治療においては、痒みを早急に鎮静させ、炎症を抑えることが重要であると認識されているにも係わらず、そのための有効な手段、特に日常生活で簡便かつ安全に使用可能な手段は存在しないのが実情であった。
【０００７】
本発明は、以上のとおりの事情に鑑みてなされたものであり、アトピー性皮膚炎患者がその症状の軽減または予防のために日常生活において簡便かつ安全に使用することのできる物品を提供することを課題としている。
【課題を解決するための手段】
【０００８】
この出願は、前記課題を解決するための発明として、カチオン基を含有することを特徴とする、アトピー性皮膚炎を軽減または予防する物品を提供する。
【０００９】
本発明の物品は、天然繊維または再生繊維；多糖類、その加水分解物またはオリゴ糖；化成品；または吸水性ポリマーであることをそれぞれ好ましい態様としている。
【００１０】
なお、本発明の物品は、より具体的にはヒトの外皮に接触、塗布、粘着などする衣服、衛生用品、医療材料、外用剤、医薬部外品または化粧品等であり、少なくとの30分間以上は外皮に接触し続ける物品である。従って、短時間外皮に接触した後に速やかに洗い流される石鹸、シャンプー、リンス等は本発明の物品には含まれない。
【発明の効果】
【００１１】
本発明は、汗に含まれるアトピー性皮膚炎の原因物質をカチオン化物品に選択的に吸着させることによって症状を緩和させるという、全く新しい発想に基づくものであり、患者への負担は無く、適用範囲は広く、体内に吸収されることは無いため安全である。
【発明を実施するための最良の形態】
【００１２】
本発明の物品の素材に関しては特に制限はなく、例えば、綿、絹、ウールなどの天然繊維、セルロース、アガー、マンナン、キチン、澱粉などの多糖類、ラフィノース、トレハロースなどのオリゴ糖、レーヨンなどの再生繊維、アセテートなどの半合成繊維、ポリエステル、ナイロンなどのプラスチックあるいは合成繊維、デンプン−ポリアクリロニトリル加水分解物、デンプン−ポリアクリル酸塩架橋物、カルボキシルメチルセルロース系、酢酸ビニル−アクリル酸メチル共重合体のケン化物、ポリアクリル酸ソーダ架橋物などの吸水性ポリマー、及びこれらの素材２種以上からなる複合素材などを挙げることができる。
【００１３】
カチオン基の種類に関しても特に制限は無いが、4級アンモニウム塩であることが好ましい。また、物品をカチオン化させるためには一般的なカチオン化剤、例えば一方社油脂工業株式会社のカチオノン-UK等を用いればよく、その他、前記の特許文献１−８に記載されているような手法を採用することもできる。
【００１４】
上述のカチオン化物品の素材が繊維状である場合には、糸、織物、編物、不織布、組物などの繊維製品とすることができる。カチオン化繊維製品は症状を軽減させる機能を持つ衣服、下着、シーツ、タオル、ガーゼ、包帯、マスク、固定用バンド、生理用品、紙オムツ等に利用できる。カチオン化させた吸水性ポリマーあるいはカチオン化物品と吸水性ポリマーを組み合わせたものは、症状を軽減させる機能を持つ生理用品、紙オムツ等に有効である。カチオン化セルロースは、これを漉くことにより紙ナプキン、ティッシュ等とすることもできる。カチオン物品の形態は海綿状、フレーク状、顆粒状あるいはゲル状であってもよく、これらは枕や布団の詰め物として利用できる。必要であれば、使用済のカチオン化物品を1%濃度の食塩水、逆性石鹸、あるいは高塩基性水溶液等に浸漬することにより再利用が可能となる。
【００１５】
カチオン化物品を粉末状または液状としたものは医薬品、医薬部外品、化粧品に応用できる。具体的には、天花粉（ベビーパウダー）、スプレー、ローション、リニメント、軟膏、クリーム、パップ剤、貼付剤、パック剤、ファンデーション等が考えられる。入浴剤に利用してもよい。いずれの場合も、症状の軽減が主たる効能・効果であってもよく、粉末状あるいは液状カチオン化高分子を添加することにより、本来の効能・効果に症状を軽減させる効能を付け加えることもできる。粘着剤と混ぜ合わせれば、痒くなりにくいテープも開発できる。
【００１６】
以下、実施例を示して本発明をさらに詳細かつ具体的に説明するが、本発明は以下の例によって限定されるものではない。
【実施例１】
【００１７】
カチオン化繊維による汗抗原の吸着試験（ヒスタミン遊離試験による評価）
粒状のセルロースを一方社油脂工業株式会社製のカチオノン-UKで処理して得たカチオン化繊維0.5ｇを直径約8mmのカラムに充填し、リン酸緩衝液（PBS）10mLで洗浄した。洗浄液がカチオン化繊維充填面まで流下した後カラムの出口を閉じ、このカラムにヒトの汗0.3mLを添加した。汗を繊維内に浸透させた状態で10分放置した後、溶出液の合計が3mLになるまでPBSで溶出した。この溶出液のタンパク濃度とヒスタミン遊離活性を測定した。なお、タンパクアッセイはPierce社のMicroBCA Assayキットを用い、製品付属の取扱説明書の方法に従って行った。また、ヒスタミン量はアトピー性皮膚炎患者の末梢血好塩基球を用いて文献記載の方法に従って測定した（Koro, O. et.al. J. Allergy Clin. Immunol., 103,663-670,1999）。
【００１８】
粒径の異なるカチオン化繊維のいずれでも汗中の抗原活性は効率よく吸収除去された（表１、図１）。抗原活性の吸収の効率はタンパクの吸収効率（表１、図２）に比較して高く、カチオン化繊維によって汗抗原を効率的に除去できることが明らかとなった。
【００１９】
【表１】
2005082932.tif 000002
また、ヒトの汗をPBSで10倍希釈してその2mLをカチオン化繊維0.33ｇに加え、試験管内で1時間振盪させて吸着させた。これを2000回転5分間遠心分離して上清を回収し、上清中のタンパク濃度とヒスタミン遊離活性を測定した。その結果、カチオン化繊維により汗中の抗原活性は効率よく吸収除去された。（表２、図３、４）
【００２０】
【表２】
2005082932.tif 000003
【実施例２】
【００２１】
カチオン化繊維による汗抗原の吸着試験（皮内反応試験による評価）
被験者から汗を集めフィルターを通して不溶物を除去した後、その2mLと0.3ｇのカチオン化繊維を試験管内に入れ室温で1時間振盪した。対照としては非カチオン化繊維を用いた。処理後2000回転5分間遠心分離して上清を得た。この上清を0.22μmのフィルターを通して滅菌した後、被験者（汗の提供者）の皮膚を用いて皮内反応試験を行った。処理後の原液および生理食塩水にて3倍、10倍希釈したサンプルの20μLを皮内に注射して残存アレルギー活性を比較した。即時型アレルギー反応の指標として15分後の膨疹と紅斑の程度および痒みの強度を計測した。結果は表３に示したとおりである。
【００２２】
【表３】
2005082932.tif 000004
ここで表中の数字は膨疹および紅斑の縦横の大きさを示している。また、（++）〜（-）はそれに伴う痒みの強度をスコアとして表したものである。未処理の汗で強度の膨疹および紅斑が見られた。非カチオン化繊維処理ではこの活性の大部分が残存しており強度の陽性と判定されたが、カチオン化繊維処理ではいずれでもほとんどのアレルギー活性は除去され皮内反応は陰性であった。痒みの程度も紅斑の程度と相関しており、カチオン化繊維処理では痒みはほとんど消失した。
【図面の簡単な説明】
【００２３】
【図１】ヒトの汗をカチオン化繊維を充填したカラムで処理した後の残存ヒスタミン遊離活性を測定した結果を示す。
【図２】ヒトの汗をカチオン化繊維を充填したカラムで処理した後のタンパク量を測定した結果を示す。
【図３】ヒトの汗を試験管中でカチオン化繊維と反応させた後の残存ヒスタミン遊離活性を測定した結果を示す。
【図４】ヒトの汗を試験管中でカチオン化繊維と反応させた後のタンパク濃度を測定した結果を示す。
【図１】
2005082932.tif 000005
【図２】
2005082932.tif 000006
【図３】
2005082932.tif 000007
【図４】
2005082932.tif 000008